(57)【要約】【課題】  メガネの外面側に容易に装着したり取り外したりすることができる上、いったん装着されたならば、必要に応じてレンズをメガネの前上へ跳ね上げることのできる跳ね上げ可能な前掛け式サングラス及びそれを備えたメガネセットを提供する。【解決手段】  メガネセットは、通常のメガネ１０と、磁性を利用してメガネ１０のブリッジ部１１に取り外し自在に装着される前掛け式サングラス２０とにより構成されており、前掛け式サングラス２０は、前後二面２１，２２を有する左右一対のレンズ２，２と、左右一対のレンズ２，２を左右対称に保持する第１のフレーム３と、ヒンジ機構４，４を介して第１のフレーム３に枢支され、且つ、磁性を利用して前記メガネ１０に取り外し自在に装着される第２のフレーム５とからなっている。【選択図】  図１
0003101561.tif 000002
【実用新案登録請求の範囲】
【請求項１】
左右一対のレンズと、
前記左右一対のレンズを左右対称に保持する第１のフレームと、
前記第１のフレームに枢支され、且つ、磁性を利用して前記メガネに取り外し自在に装着される第２のフレームとを備え、
前記第２のフレームを前記メガネに装着した状態で、前記左右一対のレンズを前記第１のフレームごと前記メガネの外面側から前上へ跳ね上げることができることを特徴とする跳ね上げ可能な前掛け式サングラス。
【請求項２】
前記左右一対のレンズは前記メガネの左右一対のレンズと略同サイズであり、
前記第１のフレームの形状は少なくとも前記メガネのフレームの上縁と整合し、且つ、前記第２のフレームの形状は前記第１のフレームと整合しており、
前記第１のフレーム及び前記第２のフレームはいずれも、前記メガネのブリッジ部と略同サイズの架橋部と、前記架橋部からそれぞれ左右両方向へカーブ状に対称的に延伸する左右の湾曲部とからなり、前記第２のフレームの左右の湾曲部の長さは前記第１のフレームの左右の湾曲部の長さより短く、且つ、前記第２のフレームの自由端近くが前記第１のフレームの左右の湾曲部に枢支されることを特徴とする請求項１に記載の跳ね上げ可能な前掛け式サングラス。
【請求項３】
前記第２のフレームの架橋部に、前記メガネのブリッジ部を外面側の方向から挟み込む断面コ字形の挟持部材が設けられ、
前記挟持部材は金属製であり、且つ、前記メガネのブリッジ部を外面側から挟み込む断面コ字形の上壁の上面に第１の磁石が設けられていることを特徴とする請求項２に記載の跳ね上げ可能な前掛け式サングラス。
【請求項４】
前記第２のフレームの架橋部に、前記メガネのブリッジ部を外面側の方向から挟み込む断面コ字形の挟持部材が設けられ、
前記挟持部材は金属製であり、且つ、前記メガネのブリッジ部を外面側から挟み込む断面コ字形の上壁の内部に第１の磁石が嵌め込まれていることを特徴とする請求項２に記載の跳ね上げ可能な前掛け式サングラス。
【請求項５】
請求項３又は４に記載の前掛け式サングラスと、
前記前掛け式サングラスが装着された状態で、前記第１の磁石と互いに吸着する第２の磁石がブリッジ部に設置されたメガネとを備えたことを特徴とするメガネセット。
【考案の詳細な説明】
【技術分野】
【０００１】
本考案は、メガネに取り外し自在に装着される跳ね上げ可能な前掛け式サングラス及びそれを備えたメガネセットに関する。
【背景技術】
【０００２】
日差しの強い夏季等には、日光の目への直射を避けるためにサングラスを携えて出かけることが多々ある。ところが、その場合、近視や遠視の人にとって、サングラスも度付きのものでなければならないため、結局は視力矯正用のメガネと度付きのサングラスとの二つのメガネを持たなければならなく非常に面倒である。
【０００３】
そういった理由から、跳ね上げ式サングラスと前掛け式サングラスというものが知られている。跳ね上げ式サングラスとは、そのフレームが通常のメガネのフレームに枢支されていて、そのレンズが前記メガネの外面側（遮蔽位置）から前上へ跳ね上げ可能（開放位置）なものをいい、前掛け式サングラスとは、磁石等により通常のメガネの外面側に吸着されるものをいう。
【考案の開示】
【考案が解決しようとする課題】
【０００４】
しかしながら、跳ね上げ式サングラスでは、メガネとの間の枢支構造が複雑であって、それをメガネから外し難いため、いったん装着した後、それを取り外す気がなくなって半固定式になることが多々あるという欠点がある。
【０００５】
一方、前掛け式サングラスでは、メガネに装着した状態で跳ね上げることができないため、天気等の状況に応じて装着したり取り外したりしなければならず、手間がかかってしまうという欠点がある。また、メガネから取り外した後、紛失したり、圧迫等により壊れたりしやすいという欠点もある。
【０００６】
本考案は前記のような点に鑑みてなされたものであり、メガネの外面側に容易に装着したり取り外したりすることができる上、いったん装着されたならば、必要に応じてレンズをメガネの前上へ跳ね上げることのできる跳ね上げ可能な前掛け式サングラス及びそれを備えたメガネセットを提供することを目的とする。
【課題を解決するための手段】
【０００７】
本考案の跳ね上げ可能な前掛け式サングラスは、左右一対のレンズと、前記左右一対のレンズを左右対称に保持する第１のフレームと、前記第１のフレームに枢支され、且つ、磁性を利用して前記メガネに取り外し自在に装着される第２のフレームとを備え、前記第２のフレームを前記メガネに装着した状態で、前記左右一対のレンズを前記第１のフレームごと前記メガネの外面側から前上へ跳ね上げることができる点に特徴を有する。
【０００８】
また、本考案の跳ね上げ可能な前掛け式サングラスの他の特徴とするところは、前記左右一対のレンズは前記メガネの左右一対のレンズと略同サイズであり、前記第１のフレームの形状は少なくとも前記メガネのフレームの上縁と整合し、且つ、前記第２のフレームの形状は前記第１のフレームと整合しており、前記第１のフレーム及び前記第２のフレームはいずれも、前記メガネのブリッジ部と略同サイズの架橋部と、前記架橋部からそれぞれ左右両方向へカーブ状に対称的に延伸する左右の湾曲部とからなり、前記第２のフレームの左右の湾曲部の長さは前記第１のフレームの左右の湾曲部の長さより短く、且つ、前記第２のフレームの自由端近くが前記第１のフレームの左右の湾曲部に枢支される点にある。
【０００９】
また、本考案の跳ね上げ可能な前掛け式サングラスの他の特徴とするところは、前記第２のフレームの架橋部に、前記メガネのブリッジ部を外面側の方向から挟み込む断面コ字形の挟持部材が設けられ、前記挟持部材は金属製であり、且つ、前記メガネのブリッジ部を外面側から挟み込む断面コ字形の上壁の上面に第１の磁石が設けられている点、或いは、前記第２のフレームの架橋部に、前記メガネのブリッジ部を外面側の方向から挟み込む断面コ字形の挟持部材が設けられ、前記挟持部材は金属製であり、且つ、前記メガネのブリッジ部を外面側から挟み込む断面コ字形の上壁の内部に第１の磁石が嵌め込まれている点にある。
【００１０】
本考案のメガネセットは、請求項３又は４に記載の前掛け式サングラスと、前記前掛け式サングラスが装着された状態で、前記第１の磁石と互いに吸着する第２の磁石がブリッジ部に設置されたメガネとを備えた点に特徴を有する。
【考案の効果】
【００１１】
本考案によれば、磁性を利用してメガネの外面側に容易に装着したり取り外したりすることができる上、いったん装着されたならば、必要に応じてレンズをメガネの前上へ跳ね上げることができる。したがって、ユーザは必要に応じてサングラスをメガネから取り外すことも、メガネの前上へ跳ね上げたりすることもでき、使用上非常に便利である。
【考案を実施するための最良の形態】
【００１２】
以下、本考案の跳ね上げ可能な前掛け式サングラス及びそれを備えたメガネセットの好適な実施形態について詳細に説明する。なお、以下の説明においては、そのサイズに拘わらず、略同一の機能及び構成を有する構成要素については同一符号を付し、重複説明は必要な場合にのみ行う。
【００１３】
（第１の実施形態）
図１は、本考案を適用した第１の実施形態の跳ね上げ可能な前掛け式サングラス及びそれを備えたメガネセットを示す分解斜視図である。また、図２は図１の一部拡大斜視図であり、図３は図１の組立後の上面図である。図１〜図３に示すように、本実施形態のメガネセットは、通常のメガネ１０と、磁性を利用して前記メガネ１０のブリッジ部１１に取り外し自在に装着される前掛け式サングラス２０とにより構成されている。
【００１４】
前記前掛け式サングラス２０は、前後二面２１，２２を有する左右一対のレンズ２，２と、前記左右一対のレンズ２，２を左右対称に保持する第１のフレーム３と、ヒンジ機構４，４を介して前記第１のフレーム３に枢支され、且つ、磁性を利用して前記メガネ１０に取り外し自在に装着される第２のフレーム５とからなっている。
【００１５】
より詳細に説明すると、前記左右一対のレンズ２，２は、それらのサイズが略鏡面対称的であり、且つ、前記メガネ１０のレンズ１２と略同サイズである。本実施形態において、全体の重さを低減するために、前記左右一対のレンズ２，２はプラスチック樹脂を射出成形して構成されている。使用されるプラスチック樹脂はエチレン樹脂、プロピレン樹脂、アクリル樹脂等を挙げることができる。
【００１６】
前記第１のフレーム３は、美観上の観点から、その形状が少なくとも前記メガネ１０のフレーム１３の上縁と整合するように構成されている。本実施形態において、前記第１のフレーム３はスチール製であり、且つ、前記メガネ１０のブリッジ部１１の略同サイズの架橋部３１と、前記架橋部３１からそれぞれ左右両方向へカーブ状に対称的に延伸して、前記左右一対のレンズ２，２の後面２２上縁が固定される左右の湾曲部３２，３２とからなっている。
【００１７】
前記第２のフレーム５は、美観上の観点から、その形状が前記第１のフレーム３と整合するように構成されている。本実施形態において、前記第２のフレーム５は、前記メガネ１０のブリッジ部１１の略同サイズの架橋部５１と、前記架橋部５１からそれぞれ左右両方向へカーブ状に対称的に延伸するとともに、その長さが前記第１のフレーム３の左右の湾曲部３２，３２の長さより短くされ、且つ、左右の湾曲部３２，３２の自由端近くが前記ヒンジ機構４，４を介して前記第１のフレーム３の湾曲部３２，３２の略中間部にそれぞれ枢支される左右の湾曲部５２，５２とからなっている。
【００１８】
本実施形態において、前記ヒンジ機構４，４は、主としてそれぞれ前記第１のフレーム３の左右の湾曲部３２，３２の内面の略中間位置に設けられている一対のヒンジ座４１，４１と、前記第２のフレーム５の左右の湾曲部５２，５２の自由端近くから上方へ突出してなる一対の通孔付き円筒形のラグ（第２のラグ）５２１，５２１とからなっている。
【００１９】
前記各ヒンジ座４１は、図２に示すように、前記第１のフレーム３の湾曲部３２に固定された長尺状の固定片４１１と、前記固定片４１１の両端部から所定隙間を開けて前記第２のフレーム５側へ突出する一対の通孔付き円筒形のラグ（第１のラグ）４１２，４１２とからなっている。一方、前記一対の通孔付き円筒形の第２のラグ５２１，５２１は、それぞれ前記一対の第１のラグ４１２，４１２間の所定隙間内に配置することが可能となっている。そして、前記第２のラグ５２１，５２１を前記第１のラグ４１２，４１２間の所定隙間内に配置した状態で通孔にピン４２を挿通させることにより、前記第２のフレーム５が前記第１のフレーム３に対して揺動可能（跳ね上げ可能）に取り付けられる。
【００２０】
図１及び図４に示すように、前記第２のフレーム５の架橋部５１の内面には、前記メガネ１０のブリッジ部１１を外面側の方向から挟み込む断面コ字形の挟持部材５３が設けられている。前記挟持部材５３は金属製であり、且つ、前記メガネ１０のブリッジ部１１を外面側から挟む断面コ字形の上壁の上面の左右両側にそれぞれ第１の磁石５４，５４が設けられている。
【００２１】
また、前記メガネ１０のブリッジ部１１の下面には第２の磁石１４が設けられている。
【００２２】
これにより、前記挟持部材５３で前記第２のフレーム５を含む前記前掛式サングラス２０全体を外面側の方向から前記メガネ１０のブリッジ部１１に嵌めると、前記一対の第１の磁石５４，５４が前記金属製の挟持部材５３を介して前記第２の磁石１４との間の吸着力により前記前掛け式サングラス２０が取り外し自在に前記メガネ１０の外面側に装着されるようになる。
【００２３】
この場合に、前記ヒンジ機構４，４によって、前記前掛け式サングラス２０が前記メガネ１０に装着されたまま、図５及び図６に示すように、前記一対のレンズ２，２を前記第１のフレーム３ごと前記第２のフレーム５に対し前記メガネ１０の外面側から前上へ跳ね上げることができる。
【００２４】
そして、前記前掛式サングラス２０と前記メガネ１０との間の脱着可能な結合力は、磁石による磁性ばかりでなく、前記挟持部材５３の断面コ字形の前記メガネ１０のブリッジ部１１に対する挟持力にもよるので、脱着性の良さに止まらず、結合力も優れて装着が丈夫である。
【００２５】
また、本実施形態において、前記第２の磁石１４は前記メガネ１０のブリッジ部１１の下面に設けられているが、それに限らず、前記サングラス２０が前記メガネ１０に装着されている状態で、その設置位置が前記サングラス２０の第１の磁石５４の設置位置と互いに対応していて該第１の磁石５４と吸着できれば、前記メガネ１０のブリッジ部１１の上面又は他のいずれかの位置に設けられてもよい。
【００２６】
（第２の実施形態）
図７は、本考案を適用した第２の実施形態の跳ね上げ可能な前掛け式サングラス及びそれを備えたメガネセットを示す分解斜視図である。第２の実施形態において前記第１の実施形態と異なる点は、前記第１のラグ４１２，４１２及び第２のラグ５２１が通孔付き円筒形でなく、通孔付き平板状をなす点である。また、前記一対の第１の磁石５５，５５が前記挟持部材５２の断面コ字形の上壁の内部に嵌め込まれ、前記第２の磁石１５，１５は二個あり、前記一対の第１の磁石５５，５５と対応するようにそれぞれ前記メガネ１０のブリッジ部１１の内部に嵌め込まれていることにある。
【００２７】
なお、前記実施形態において示した各部の形状及び構造は、何れも本考案を実施するにあたっての具体化のほんの一例を示したものに過ぎず、これらによって本考案の技術的範囲が限定的に解釈されてはならないものである。すなわち、本考案はその精神、又はその主要な特徴から逸脱することなく、様々な形で実施することができる。
【００２８】
例えば前記第２のフレーム５は、その全体が磁性体からなるものでも良いが、その上だけに磁石（第１の磁石）を設けてなるものも良い。またメガネのフレームは金属製、又は、その上に前記第１の磁石と互いに吸着する第２の磁石を設けてなるものであることができる。第１の磁石及び第２の磁石の設置位置は、ブリッジ部（架橋部）にあることが好ましい。
【図面の簡単な説明】
【００２９】
【図１】第１の実施形態の前掛け式サングラス及びそれを備えたメガネセットを示す分解斜視図である。
【図２】図１の一部拡大斜視図である。
【図３】図１の組立後の上面図である。
【図４】図３の４−４線に沿う断面図である。
【図５】サングラスのレンズをメガネの前上へ跳ね上げる前の状態を示す側面図である。
【図６】サングラスのレンズをメガネの前上へ跳ね上げた後の状態を示す側面図である。
【図７】第２の実施形態の前掛け式サングラス及びそれを備えたメガネセットを示す分解斜視図である。
【符号の説明】
【００３０】
１０        メガネ
１１        ブリッジ部
１２        レンズ
１３        フレーム
１４，１５  第２の磁石
２０        サングラス
２          レンズ
２１，２２  前後二面
３          第１のフレーム
３１        架橋部
３２        湾曲部
４          ヒンジ機構
４１        ヒンジ座
４１１      固定片
４１２      第１のラグ
４２        ピン
５          第２のフレーム
５１        架橋部
５２        湾曲部
５２１      第２のラグ
５３        挟持部材
５４，５５  第１の磁石
【図１】
0003101561.tif 000003
【図２】
0003101561.tif 000004
【図３】
0003101561.tif 000005
【図４】
0003101561.tif 000006
【図５】
0003101561.tif 000007
【図６】
0003101561.tif 000008
【図７】
0003101561.tif 000009